(57)【要約】      （修正有）【課題】パチンコホールなどの店内固定部材へ取り付けて使う角度調整可能な旗立て用具を提供する。【解決手段】店内固定部材Ｍに取り付けられるブラケットＢと旗竿受け入れソケット１０とから成り、上記ブラケットの取付座１１から分度器１２を一体的に垂立させて、その分度器の中心部へソケットの基端部を回動操作自在に枢着すると共に、分度器の中心部から一定の回動半径を保つ円弧軌跡に沿って、一条の回動ガイド長孔１７と分度目盛になる多数のノッチ２０並びに一定間隔おきの分度表示２１を配設する一方、上記ソケットの中途部から分度器の回動ガイド長孔に貫通横断する操作片２６を一体的に張り出し、その操作片における上記ノッチと向かい合う一部を指針２７として、その分度器のノッチへ係脱自在に係止させるように定めた。【選択図】図１
0003162241.tif 000002
【実用新案登録請求の範囲】
【請求項１】
遊技機やその設置島、商品陳列台、その他の店内固定部材に取り付けられるブラケットと、一定深さの旗竿受け入れソケットとから成り、
上記ブラケットの取付座から旗竿受け入れソケット用分度器を一体的に垂立させて、その分度器の基準点になる中心部へ上記旗竿受け入れソケットの基端部を回動操作自在に枢着すると共に、
上記分度器の中心部から一定の回動半径を保つ円弧軌跡に沿って、一条の回動ガイド長孔と分度目盛になる多数のノッチ並びに一定間隔おきの文字、図形若しくは記号から成る分度表示を配設する一方、
上記旗竿受け入れソケットの中途部から分度器の上記回動ガイド長孔に貫通横断する操作片を一体的に張り出し、その操作片における上記ノッチと向かい合う一部を指針として、その分度器のノッチへ係脱自在に係止させるように定めたことを特徴とする角度調整可能な旗立て用具。
【請求項２】
分度器の円弧縁部と、これと平行に切り欠かれた回動ガイド長孔との相互間から、一定の帯幅並びに板厚だけ円弧板壁を張り出し厚肉化すると共に、
上記回動ガイド長孔の出隅側開口縁部と対応合致する円弧板壁の入隅側円弧縁部に沿って、分度目盛になる多数のノッチを刻成する一方、
同じく回動ガイド長孔の入隅側開口縁部に沿って、上記ノッチとの対応的に分布する分度表示を付与したことを特徴とする請求項１記載の角度調整可能な旗立て用具。
【請求項３】
ブラケットと旗竿受け入れソケットとの何れも合成樹脂からの一体成形品として、そのブラケットにおける分度器の中心部と、旗竿受け入れソケットの基端部との何れか一方から回動枢軸を張り出し、残る他方に軸受ボスを対応形成して、
上記回動枢軸とその軸受ボスとを抜き差し自在に差し込み嵌合したことを特徴とする請求項１記載の角度調整可能な旗立て用具。
【請求項４】
分度器に開口する回動ガイド長孔の一端部を旗竿受け入れソケットの操作片用出し入れ口として、その回動ガイド長孔の開口幅よりも広幅に切り欠き連通させたことを特徴とする請求項１記載の角度調整可能な旗立て用具。
【請求項５】
旗竿受け入れソケットを透明又は半透明の合成樹脂から、先端部へ行く程口径が徐々に拡大する有底漏斗形に一体成形すると共に、その円形胴面に多数の抜き孔を開口分布させたことを特徴とする請求項１記載の角度調整可能な旗立て用具。
【請求項６】
ブラケットの分度器をほぼ扇形に造形して、その一条の回動ガイド長孔と分度目盛になる多数のノッチ並びに分度表示を、約９０度の回動角度範囲だけ配設したことを特徴とする請求項１記載の角度調整可能な旗立て用具。
【請求項７】
ブラケットの分度器をほぼ半円形に造形して、その一条の回動ガイド長孔と分度目盛になる多数のノッチ並びに分度表示を、約１８０度の回動角度範囲だけ配設したことを特徴とする請求項１記載の角度調整可能な旗立て用具。
【考案の詳細な説明】
【技術分野】
【０００１】
本考案はパチンコホールなどの遊技店やショッピングスーパーなどの商品量販店における店内雰囲気の活性化を初め、キャンペーン情報や商品情報などを来客に知らせるためのＰＯＰ広告として、遊技機やその設置島、商品陳列台、その他の店内固定部材へ取り付けて使う角度調整可能な旗立て用具に関する。
【背景技術】
【０００２】
この種の集客や商品販売促進に役立てるため、店内の固定部材へ取り付けて使う角度調整可能な旗立て用具としては、特許文献１、２に記載の差し替え式が公知であるが、その何れも旗竿の取付角度を調整できる選択肢が極めて少なく、殊更特許文献２に記載の構成では外側プレート（３）の外孔（７）から、内側プレート（４）の内孔（１０）へ旗竿（棒状体）（２）を差し替え操作しなければならないため、非常に煩らわしく面倒であり、その差し込み状態の安定性にも劣る。
【０００３】
他方、特許文献３、４には回動式の旗立て用具が記載されており、その何れも回動操作することによって、旗竿の取付角度を調整し得る点では、本考案に近似する公知技術であると言える。
【先行技術文献】
【特許文献】
【０００４】
【特許文献１】実用新案登録第３０９２０３６号公報
【特許文献２】特開２００６−７１８６７号公報
【特許文献３】特開２００１−６７０３２号公報
【特許文献４】実用新案登録第３１０７４２０号公報
【考案の概要】
【考案が解決しようとする課題】
【０００５】
ところが、特許文献３、４に記載の旗立て用具は何れも１個の大きな旗（国旗）を屋外に立てるものとして、強風を受けても脱落せず、また盗難防止などの必要上、多数の部品を用いて高強度に組み立てられている結果、本考案のような遊技機毎や商品陳列台毎に小旗の多数を整然と取り付ける旗立て用具としては、上記屋外用のそれを転用すると、いたづらに高価となり過ぎて、量産効果を得られず、店内の装飾効果も達成することができない。
【０００６】
更に、上記旗立て用具の構成ではそのブラケット（固定座）に対して旗竿取付部材（調整座）を回動操作できるとしても、その回動角度を表示する文字、図形若しくは記号が全然施されていないため、その１個の大きな旗（国旗）を屋外に立てる用具であればともかく、本考案のような店内固定部材へ、その遊技機毎や商品陳列台毎に小旗の多数を整然と取り付ける旗立て用具として適用した場合、その旗竿の取付角度をすべて等しく調整維持することは至難の業であり、多大の時間と労力を要する。
【課題を解決するための手段】
【０００７】
本考案はこのような課題の抜本的な解決を目的としており、その目的を達成するために、請求項１では遊技機やその設置島、商品陳列台、その他の店内固定部材に取り付けられるブラケットと、一定深さの旗竿受け入れソケットとから成り、
【０００８】
上記ブラケットの取付座から旗竿受け入れソケット用分度器を一体的に垂立させて、その分度器の基準点になる中心部へ上記旗竿受け入れソケットの基端部を回動操作自在に枢着すると共に、
【０００９】
上記分度器の中心部から一定の回動半径を保つ円弧軌跡に沿って、一条の回動ガイド長孔と分度目盛になる多数のノッチ並びに一定間隔おきの文字、図形若しくは記号から成る分度表示を配設する一方、
【００１０】
上記旗竿受け入れソケットの中途部から分度器の上記回動ガイド長孔に貫通横断する操作片を一体的に張り出し、その操作片における上記ノッチと向かい合う一部を指針として、その分度器のノッチへ係脱自在に係止させるように定めたことを特徴とする。
【００１１】
又、請求項２では分度器の円弧縁部と、これと平行に切り欠かれた回動ガイド長孔との相互間から、一定の帯幅並びに板厚だけ円弧板壁を張り出し厚肉化すると共に、
【００１２】
上記回動ガイド長孔の出隅側開口縁部と対応合致する円弧板壁の入隅側円弧縁部に沿って、分度目盛になる多数のノッチを刻成する一方、
【００１３】
同じく回動ガイド長孔の入隅側開口縁部に沿って、上記ノッチとの対応的に分布する分度表示を付与したことを特徴とする。
【００１４】
請求項３ではブラケットと旗竿受け入れソケットとの何れも合成樹脂からの一体成形品として、そのブラケットにおける分度器の中心部と、旗竿受け入れソケットの基端部との何れか一方から回動枢軸を張り出し、残る他方に軸受ボスを対応形成して、
【００１５】
上記回動枢軸とその軸受ボスとを抜き差し自在に差し込み嵌合したことを特徴とする。
【００１６】
請求項４では分度器に開口する回動ガイド長孔の一端部を旗竿受け入れソケットの操作片用出し入れ口として、その回動ガイド長孔の開口幅よりも広幅に切り欠き連通させたことを特徴とする。
【００１７】
請求項５では旗竿受け入れソケットを透明又は半透明の合成樹脂から、先端部へ行く程口径が徐々に拡大する有底漏斗形に一体成形すると共に、その円形胴面に多数の抜き孔を開口分布させたことを特徴とする。
【００１８】
請求項６ではブラケットの分度器をほぼ扇形に造形して、その一条の回動ガイド長孔と分度目盛になる多数のノッチ並びに分度表示を、約９０度の回動角度範囲だけ配設したことを特徴とする。
【００１９】
更に、請求項７ではブラケットの分度器をほぼ半円形に造形して、その一条の回動ガイド長孔と分度目盛になる多数のノッチ並びに分度表示を、約１８０度の回動角度範囲だけ配設したことを特徴とする。
【考案の効果】
【００２０】
請求項１の上記構成によれば、冒頭に述べた従来技術の課題を容易に解決できる効果がある。つまり、本考案の旗立て用具を遊技店や商品小売店の店内固定部材へ、その遊技機毎や商品陳列台毎に多数整然と取り付け使用するに当り、そのブラケットの分度器に刻成された分度目盛となるノッチのみならず、その一定間隔おきに付与された文字（数字）、図形若しくは記号からなる分度表示を目視することにより、その旗竿受け入れソケットとこれに差し込み使用される旗竿の取付角度を、すべて均等に誤りなく調整維持することができるのであり、その店員などの作業性と店内の装飾・広告効果に著しく優れる。
【００２１】
特に、請求項２の構成を採用するならば、旗竿受け入れソケットの中途部から張り出す操作片を、分度器の回動ガイド長孔に貫通横断させた組み立て状態において、その操作片から突出する指針を、円弧板壁に刻成された分度目盛のノッチへ、正確に向かい合う対応位置関係として係止させることが可能となり、角度調整状態の固定力と安定性に優れる。
【００２２】
請求項３の構成を採用するならば、合成樹脂成形品のブラケットと合成樹脂成形品の旗竿受け入れソケットとを、工具の必要なく簡単・確実に組み立てることができ、その何れか一方の回動枢軸を支点として、残る他方を回動操作できる状態に保てる効果がある。
【００２３】
請求項４の構成を採用するならば、旗竿受け入れソケットの中途部から張り出す操作片を、分度器の回動ガイド長孔へ貫通横断させることにより、そのブラケットの分度器と組み立てる際、その回動ガイド長孔の一端部に開口する広幅な操作片用出し入れ口から、上記操作片を容易に差し込み貫通させることができ、その組み立てと分解の作業性がますます向上する。
【００２４】
請求項５の構成を採用するならば、旗竿受け入れソケットが透明又は半透明の合成樹脂製として、その店内固定部材へ目立つことなく取り付け使用することができ、その内部へ旗竿を差し込みやすく、また塵埃などの異物を抜き出しやすい効果もある。
【００２５】
請求項６や請求項７の構成を採用するならば、旗竿受け入れソケットとこれに差し込み使用される旗竿の取付角度を、極力広範囲に調整できるそれとして確保することができ、店内固定部材への取り付け固定上、その旗立て用具の姿勢に制約を受けない効果がある。
【図面の簡単な説明】
【００２６】
【図１】本考案に係る旗立て用具の使用状態を示す正面図である。
【図２】同じく旗立て用具の組立状態を示す正面図である。
【図３】図２の３−３線断面図である。
【図４】図３から旗竿受け入れソケットの操作片を分度器の中心方向へ押圧した状態の断面図である。
【図５】旗立て用具のブラケットを抽出して示す斜面図である。
【図６】図５の正面図である。
【図７】図６の背面図である。
【図８】図６の平面図である。
【図９】図６の右側面図である。
【図１０】図６の１０−１０線断面図である。
【図１１】図６の１１−１１線断面図である。
【図１２】旗立て用具の旗竿受け入れソケットを抽出して示す斜面図である。
【図１３】図１２の正面図である。
【図１４】図１３の平面図である。
【図１５】図１３底面図である。
【図１６】図１３の側面図である。
【図１７】図１３の１７−１７線断面図である。
【図１８】本考案に係る旗立て用具の変形実施形態を示す図２に対応する正面図である。
【図１９】本考案の図１と異なる使用状態を例示する側面図である。
【図２０】図１９の正面図である。
【図２１】図２０の２１−２１線断面図である。
【考案を実施するための形態】
【００２７】
以下、図面に基いて本考案の具体的構成を詳述すると、その本考案の旗立て用具はキャンペーン情報や商品情報などの各種集客情報が表示された小旗（Ｆ）を、遊技機やその設置島、商品陳列台、その他の店内固定部材（Ｍ）へ取り付けるために使うものとして、ブラケット（Ｂ）と旗竿受け入れソケット（１０）との２部品から図１〜４のように組み立てられている。
【００２８】
先ず、ブラケット（Ｂ）は図５〜１１に抽出して示すような長方形（例えば短辺が約３０mm×長辺が約７０mm×板厚が約３mm）の取付座（１１）と、その長辺と平行な偏心線上から表向き連続的に垂立する分度器（１２）とを備えており、アクリル樹脂やスチロール樹脂、好ましくはポリカーボネート、その他の透明又は半透明な硬質の熱可塑性樹脂から一体成形されているが、不透明な各種の着色合成樹脂から一体成形されることもある。
【００２９】
但し、茲に分度器（１２）は一定な回動半径（例えば約６０mm）のもとに描いた円をほぼ４等分した大きさ・形状（扇形）であり、円弧縁部（１３）を有している。その分度器（１２）の板厚は一例として、約２mmである。
【００３０】
上記ブラケット（Ｂ）の取付座（１１）は図外の両面接着テープ又は／及び複数のタッピングビスや釘などによって、上記店内固定部材（Ｍ）へ固定されることになる。（１４）は取付座（１１）に開口分布された複数のビスや釘などを受け入れる通孔である。
【００３１】
（１５）は上記ブラケット（Ｂ）における分度器（１２）の基準点となる中心部（Ｏ）から、取付座（１１）の中心側へ横向き連続的に張り出された１本の回動枢軸であり、その楔状をなす張り出し先端部には、図５、８、１１のような口径収縮用の割り溝（１６）が切り込まれている。
【００３２】
（１７）は上記分度器（１２）の円弧縁部（１３）と平行に延在する一定な開口幅（Ｓ１）（例えば約４mm）の回動ガイド長孔であり、その分度器（１２）の中心部（Ｏ）から一定の回動半径（例えば約４０mm）を保つ円弧軌跡に沿って切り欠かれている。
【００３３】
但し、その回動ガイド長孔（１７）は図５〜７から明白なように、上記取付座（１１）とこれから垂立する分度器（１２）との境界をなす一端部においてのみ、旗竿受け入れソケット（１０）の後述する操作片用出し入れ口（１８）として、若干広幅（Ｓ２）（例えば約６mm）に切り欠き連通されている。
【００３４】
（１９）は同じく分度器（１２）の円弧縁部（１３）と上記回動ガイド長孔（１７）における出隅側開口縁部（１７ａ）との相互間から、図５や図９〜１１のように一定の帯幅（Ｗ）（例えば約７mm）と板厚（Ｔ）（例えば約２mm）だけ、上記回動枢軸（１５）の張り出し方向と逆な横向きに張り出し厚肉化された円弧板壁であり、その回動ガイド長孔（１７）の出隅側開口縁部（１７ａ）と対応合致した入隅側円弧縁部（１９ａ）に沿って、分度目盛となる多数のノッチ（２０）が刻成されている。その各ノッチ（２０）は一例として、約２mmの切り欠き深さと約２mmの切り欠き幅を有する。
【００３５】
その場合、分度器（１２）を一定の帯幅（Ｗ）と板厚（Ｔ）だけ厚肉化している円弧板壁（１９）は、図５〜７から明白なように、上記回動ガイド長孔（１７）の一端部をなす操作片用出し入れ口（１８）まで到達しておらず、その出し入れ口（１８）を広幅（Ｓ２）な開口状態に保っている。
【００３６】
図示の実施形態では分度器（１２）がほぼ扇形に造形されており、その分度目盛になる多数のノッチ（２０）を５度づつの一定間隔として、約９０度の回動角度範囲（θ）だけ刻成している。
【００３７】
（２１）は上記分度目盛になるノッチ（２０）と対応する分度表示であり、図示実施形態の場合図５、６のような「１０°」から「９０°」まで分布する文字（数字）として、上記分度器（１２）における回動ガイド長孔（１７）の入隅側開口縁部（１７ｂ）に沿って付与している。そのため、その文字を読み取ることにより、後述する旗竿の取付角度やその調整角度を一目瞭然に知ることができる。
【００３８】
但し、このような趣旨を達成できる限り、その分度表示（２１）としては上記文字（数字）に代る三角などの図形や、矢印などの記号を採用しても良く、又その分布仕様としても一定の間隔おきであるならば、例えば「０°」、「３０°」、「６０°」、「９０°」などとして、言わば途中の文字（数字）が省略されたそれを採用してもさしつかえない。
【００３９】
更に、上記分度表示（２１）の設置個所としても、図示実施形態のような回動ガイド長孔（１７）の入隅側開口縁部（１７ｂ）に沿って並列する関係位置に限らず、例えば上記分度器（１２）の円弧縁部（１３）に沿い並列する関係位置として、その円弧板壁（１９）に付与しても良い。
【００４０】
尚、図示実施形態の場合上記分度器（１２）も含むブラケット（Ｂ）の成形と同時に、その分度表示（２１）を一体成形しているが、このような分度表示（２１）を印刷した別個なシールなどを、分度器（１２）の上記個所へ貼り付けてもさしつかえない。
【００４１】
次に、旗竿受け入れソケット（１０）は上記ブラケット（Ｂ）と同じか又は異なる硬質の合成樹脂から、一定深さ（Ｄ）（例えば約９０mm）の有底円筒形や、好ましくは図１２〜１７のような先端部へ行く程口径が徐々に拡大する有底漏斗形に一体成形されており、例えば約１．５mm〜約２．０mmの厚みを有する。
【００４２】
図示実施形態の旗竿受け入れソケット（１０）は上記ブラケット（Ｂ）と同じく透明又は半透明であり、そのため言わば無難な無色として、店内固定部材（Ｍ）の意匠や着色カラーなどと違和感を生ずることなく使用できるが、そのブラケット（Ｂ）と相違する着色カラーを施しても良い。このことは上記ブラケット（Ｂ）についても言える。
【００４３】
（２２）は上記旗竿受け入れソケット（１０）の先端部をなす円錐ガイド面であり、旗竿（２３）を受け入れやすく拡開している。その円錐ガイド面（２２）の口径は一例として約２０mm、逆な基端部での口径は同じく約７mmである。（２４）は上記旗竿受け入れソケット（１０）の円形胴面に開口分布された多数の細長い抜き孔であり、塵埃などの排出と軽量化に役立つ。
【００４４】
また、（２５）は同じく旗竿受け入れソケット（１０）の基端部から連続的に張り出す軸受ボスであって、そのソケット（１０）の長手方向と直交する方向に沿って延在しており、上記ブラケット（Ｂ）における分度器（１２）の中心部（Ｏ）から張り出す回動枢軸（１５）と抜き差し自在に差し込み嵌合されることとなる。
【００４５】
その際には上記回動枢軸（１５）の張り出し先端部を割り溝（１６）の閉合状態に収縮させて、旗竿受け入れソケット（１０）の軸受ボス（２５）を差し込み套嵌すれば良く、そうすれば軸受ボス（２５）の抜け止め状態に保たれるが、再度意図的に抜き出し分解することも可能である。
【００４６】
尚、図示実施形態との言わば逆に、上記回動枢軸（１５）を旗竿受け入れソケット（１０）の基端部から張り出す一方、その軸受ボス（２５）を上記分度器（１２）の中心部（Ｏ）から対応的に張り出して、やはり抜き差し自在に差し込み嵌合しても良い。
【００４７】
何れにしても、このような差し込み嵌合によって上記ブラケット（Ｂ）と組み立てられた旗竿受け入れソケット（１０）は、図１、２に示唆する如く、そのブラケット（Ｂ）の分度器（１２）から張り出している回動枢軸（１５）を支点として、約９０度の回動角度範囲（θ）だけ回動操作することができる。
【００４８】
（２６）は上記分度器（１２）の基準点になる中心部（Ｏ）から回動ガイド長孔（１７）までの一定な回動半径に対応位置する旗竿受け入れソケット（１０）の中途部から、図３、４や図１２、１５のように、その分度器（１２）の回動ガイド長孔（１７）に貫通する横方向へ、一定長さ（Ｌ）（例えば約１５mm）だけ連続的に張り出された操作片であり、これが回動ガイド長孔（１７）から上記ノッチ（２０）の設置側へ張り出し露呈した自由な先端部を、遊技店や商品販売店の店員などが自己の指先又はその指先に代る摘まみ用具（例えばペンチやマイクロプライヤー）により、分度器（１２）の中心方向へ押圧操作して、弾力的に撓み変形させるようになっている。
【００４９】
しかも、その分度器（１２）の回動ガイド長孔（１７）を貫通横断する操作片（２６）が上記円弧板壁（１９）に刻成されているノッチ（２０）と向かい合う一部は、凸状の指針（２７）として上記押圧する方向と逆な方向へ突設されており、そのノッチ（２０）と常時咬み合い係止する付勢状態にある。
【００５０】
つまり、旗竿受け入れソケット（１０）の操作片（２６）から突出する指針（２７）が、今図２のような「１０°」の分度目盛位置にあるノッチ（２０）と咬み合い係止していると仮定した場合、操作片（２６）の張り出し先端部を図３の矢印で示す如く分度器（１２）の中心方向へ押圧すれば、その操作片（２６）は図４のように自由な先端部から弾力的に撓み変形して、その凸状指針（２７）が上記ノッチ（２０）から離脱するため、上記操作片（２６）をそのまま押圧し乍ら回動操作して、その指針（２７）を別な例えば「６０°」の分度目盛位置にあるノッチ（２０）へ係止させれば良く、このような係止替えを行なって、旗竿受け入れソケット（１０）の回動角度を調整するのである。
【００５１】
その場合、操作片（２６）の押圧操作を解除すれば、その凸状の指針（２７）がノッチ（２０）へ自づと咬み合い係止する状態に復元し、旗竿受け入れソケット（１０）の回動角度や延いては旗竿（２３）の取付角度を、その希望する調整状態に固定維持できることとなる。
【００５２】
旗竿受け入れソケット（１０）の中途部から張り出している操作片（２６）が、ブラケット（Ｂ）の分度器（１２）に切り欠かれている回動ガイド長孔（１７）を貫通横断することになると説明したが、その旗竿受け入れソケット（１０）の中途部とブラケット（Ｂ）の分度器（１２）とを組み立てるに当っては、その分度器（１２）の回動枢軸（１５）を支点として回動させたソケット（１０）の操作片（２６）を、上記回動ガイド長孔（１７）の一端部に連通する広幅（Ｓ２）な操作片用出し入れ口（１８）へ、差し込み貫通させる。その出し入れ口（１８）は広幅（Ｓ２）として操作片（２６）のみならず、これから突出する指針（２７）も円滑に受け入れることができるようになっているからである。
【００５３】
その後はソケット（１０）の操作片（２６）を上記したように、分度器（１２）の中心方向へ押圧操作して、その操作片（２６）を弾力的に撓み変形させなければ、これから突出する指針（２７）が上記円弧板壁（１９）の入隅側円弧縁部（１９ａ）と干渉するため、上記ソケット（１０）を分度器（１２）の回動ガイド長孔（１７）に沿って回動させたり、またその操作片（２６）の凸状指針（２７）を分度器（１２）の分度目盛になるノッチ（２０）に対して、係脱自在に咬み合い係止させたりすることはできない。
【００５４】
但し、その場合指針（２７）が突出する操作片（２６）の過度な押圧操作に起因して、その操作片（２６）が分度器（１２）の回動ガイド長孔（１７）から戻る方向へ抜けてしまうおそれについては、その一定長さ（Ｌ）の操作片（２６）における指針（２７）よりも張り出し先端側へ片寄った位置から、しかも指針（２７）より背高い抜け止め片（２８）を図３、４や図１４、１５のように突出させることにより、確実に予防することができる。
【００５５】
上記回動ガイド長孔（１７）の一端部に開口する広幅（Ｓ２）な操作片用出し入れ口（１８）においてのみ、操作片（２６）をその抜け止め片（２８）までも差し込み貫通できるように押圧操作して、その貫通横断後に押圧操作を解けば、足りるわけである。このような操作を逆順序に実行すれば、上記ソケット（１０）の操作片（２６）を分度器（１２）の操作片用出し入れ口（１８）から、意図的に抜き出し分解することもできる。
【００５６】
尚、上記分度器（１２）の回動ガイド長孔（１７）やその操作片用出し入れ口（１８）に対して、ソケット（１０）の操作片（２６）が過度に差し込み貫通されることを防ぐため、そのソケット（１０）における円形胴面の中途部から上記操作片（２６）と平行な規制片（２９）を連続的に張り出して、その張り出し先端部を分度器（１２）の厚肉化された円弧板壁（１９）へ、言わば背後から衝当するように定めても良い。
【００５７】
図１はパチンコホールなどの遊技店内に存在する固定部材（Ｍ）へ取り付けた本考案の使用状態を例示しており、茲に店内固定部材（Ｍ）とは各遊技機自身又は遊技機設置島に並ぶ各遊技機と対応位置する上部の正面や側面（何れも垂直面）、頂面（水平面）、その他の傾斜面を意味する。つまり、本考案の旗立て用具は遊技機毎に対応位置する多数として取り付け使用される。
【００５８】
また、遊技店の集客に役立つキャンペーン情報やイベント情報、新らしい遊技機などの導入情報、その他の各種情報を表示したＰＯＰ広告になる小旗（Ｆ）が、予じめ多数作成準備されている。
【００５９】
そこで、本考案の旗立て用具を使用するに当っては、そのブラケット（Ｂ）の取付座（１１）を上記店内固定部材（Ｍ）へ図外の両面接着テープ又は／及びタッピングビスや釘などによって固定する。この点、図１の店内固定部材（Ｍ）は遊技機設置島の上部正面（垂直面）を示している。
【００６０】
予じめブラケット（Ｂ）の分度器（１２）と組み立てられている旗竿受け入れソケット（１０）をその後、分度器（１２）の中心部（Ｏ）を支点として図２の矢印方向へ回動操作するのであるが、その過程では上記ソケット（１０）の中途部から分度器（１２）の回動ガイド長孔（１７）に貫通横断している操作片（２６）の張り出し先端部を、遊技店の店員などが指先又はこれに代る摘まみ用具により、分度器（１２）の中心方向へ図３、４のように押圧して、弾力的に撓み変形させ、その操作片（２６）の凸状指針（２７）を分度目盛になっているノッチ（２０）からの離脱状態に保つ。
【００６１】
そして、上記旗竿受け入れソケット（１０）を図１、２の実線に示す如く、例えば希望する「６０°」の分度表示（２１）がある分度目盛の目標位置まで回動操作したならば、その操作片（２６）の押圧操作手を放すのである。そうすれば、その操作片（２６）の凸状指針（２７）が目標位置の分度目盛になるノッチ（２０）と咬み合い係止する結果、上記旗竿受け入れソケット（１０）に差し込み使用される旗竿（２３）の取付角度を、その「６０°」として固定維持することができ、同様な操作を行なうことにより、その旗竿（２３）の取付角度を大小調整することも可能である。
【００６２】
その場合、上記ブラケット（Ｂ）の分度器（１２）にはその分度目盛となるノッチ（２０）のみならず、これを一目瞭然に知得できる具体的な文字（数字）、図形若しくは記号から成る分度表示（２１）が、一定間隔おきの分布状態に付与されてもいるため、本考案のような遊技店内に並ぶ遊技機毎の多数整然と取り付け使用する必要がある旗立て用具の場合、その旗竿（２３）の取付角度を上記分度表示（２１）の目視により、すべて均等なそれとして容易に誤りなく調整維持することができ、その作業能率と遊技店内の装飾・広告効果が著しく向上する。
【００６３】
図１〜１７に示した旗立て用具の実施形態では、そのブラケット（Ｂ）の分度器（１２）をほぼ扇形として、これに一条の回動ガイド長孔（１７）と分度目盛になる多数のノッチ（２０）並びに文字（数字）から成る分度表示（２１）を、約９０度の回動角度範囲（θ）だけ配列設置しているが、各遊技機自身の頂面やその遊技機設置島の頂面、その他の水平面、傾斜面へ、やはりブラケット（Ｂ）の取付座（１１）を固定使用する旗立て用具としては、図２と対応する図１８の変形実施形態から明白なように、そのブラケット（Ｂ）の分度器（１２）をほぼ半円形に造形すると共に、その中心部（Ｏ）から一定の回動半径を保つ円弧軌跡に沿って、一条の回動ガイド長孔（１７）と分度目盛になる多数のノッチ（２０）並びに分度表示（２１）を約１８０度の回動角度範囲（θ）だけ配列設置し、旗竿受け入れソケット（１０）をその回動角度範囲（θ）だけ広く回動操作できるように構成しても良い。
【００６４】
また、図示実施形態では旗立て用具のブラケット（Ｂ）と旗竿受け入れソケット（１０）とを、何れも合成樹脂から一体成形しているが、その何れか一方又は双方を金属からの鋳造や塑性加工などによって製作してもさしつかえない。
【００６５】
更に、図示実施形態の旗立て用具はそのブラケット（Ｂ）の取付座（１１）を、上記店内固定部材（Ｍ）へ両面接着テープやタッピングビス、釘などによって、言わば直接固定するようになっているが、図１〜１７と対応する図１９〜２１の別な変形実施形態に示す如く、上記と同様にして店内固定部材（Ｍ）へ直接固定される別個な大きいベース台（３０）の向かい合う第１チャンネル溝レール（係止フック）（３１）に、上記ブラケット（Ｂ）の取付座（１１）を抜き差し自在に差し込み係止させて使うこともあり得る。
【００６６】
（３２）は上記ベース台（３０）に列設された向かい合う第２チャンネル溝レール（係止フック）であり、ここには取付座（３３）を備えた断面ほぼ二等辺三角形などの弾性クリップ（所謂キャッチャー）（３４）が、やはり抜き差し自在に差し込み係止されており、上記小旗（Ｆ）と同様なキャンペーン情報やその他の各種集客情報が表示された別な広告プレート（Ｐ）などを、図２０、２１のように、その弾性クリップ（３４）によって挟持することができるようになっている。
【００６７】
本考案の旗立て用具におけるブラケット（Ｂ）の取付座（１１）を、分度器（１２）よりも長く張り出し延長させると共に、上記広告プレート（Ｐ）などの挟持可能な弾性クリップ（キャッチャー）（３４）を、その取付座（１１）の延長部に付属する状態として一体成形することも考えられ、これも本考案に含まれる。
【００６８】
尚、図１９〜２１の各種変形実施形態におけるその他の構成は、図１〜１７の上記実施形態と実質的に同一であるため、その図１９〜２１に図１〜１７との対応符号を記入するにとどめて、その詳細な説明を省略する。
【符号の説明】
【００６９】
（１０）・旗竿受け入れソケット
（１１）・取付座
（１２）・分度器
（１３）・円弧縁部
（１４）・通孔
（１５）・回動枢軸
（１６）・割り溝
（１７）・回動ガイド長孔
（１７ａ）・出隅側開口縁部
（１７ｂ）・入隅側開口縁部
（１８）・操作片用出し入れ口
（１９）・円弧板壁
（１９ａ）・入隅側円弧縁部
（２０）・ノッチ
（２１）・分度表示
（２２）・円錐ガイド面
（２３）・旗竿
（２４）・抜き孔
（２５）・軸受ボス
（２６）・操作片
（２７）・指針
（２８）・抜け止め片
（２９）・規制片
（３０）・ベース台
（３１）・第１チャンネル溝レール
（３２）・第２チャンネル溝レール
（３３）・取付座
（３４）・弾性クリップ（キャッチャー）
（Ｂ）・ブラケット
（Ｄ）・深さ
（Ｆ）・小旗
（Ｌ）・長さ
（Ｍ）・店内固定部材
（Ｏ）・中心部
（Ｐ）・広告プレート
（Ｓ１）（Ｓ２）・開口幅
（Ｔ）・板厚
（Ｗ）・帯幅
（θ）・回動角度範囲
【図１】
0003162241.tif 000003
【図２】
0003162241.tif 000004
【図３】
0003162241.tif 000005
【図４】
0003162241.tif 000006
【図５】
0003162241.tif 000007
【図６】
0003162241.tif 000008
【図７】
0003162241.tif 000009
【図８】
0003162241.tif 000010
【図９】
0003162241.tif 000011
【図１０】
0003162241.tif 000012
【図１１】
0003162241.tif 000013
【図１２】
0003162241.tif 000014
【図１３】
0003162241.tif 000015
【図１４】
0003162241.tif 000016
【図１５】
0003162241.tif 000017
【図１６】
0003162241.tif 000018
【図１７】
0003162241.tif 000019
【図１８】
0003162241.tif 000020
【図１９】
0003162241.tif 000021
【図２０】
0003162241.tif 000022
【図２１】
0003162241.tif 000023